(57)【要約】【課題】スライド部材による擦れ傷を緩和すること。【解決手段】携帯電話１０のリアケース部２４の裏面に設けられたスライド領域２５にレンズカバー４０がスライド自在に配設される。スライド領域２５にスライド移動方向Ｐに沿った凹溝を有する擦れ傷緩和部２６が設けられている。レンズカバー４０との擦れ合いによりスライド領域２５にスライド移動方向Ｐに沿った擦り傷がついたとしても、スライド移動方向Ｐに沿った微細な凹溝により当該擦り傷が目立たない。【選択図】図１
2007298785.tif 000002
【特許請求の範囲】
【請求項１】
一方主面を有しその一方主面にスライド領域が設けられたスライド支持体と、
前記スライド領域にスライド移動自在に配設されるスライド部材と、
を備え、
前記スライド領域のうちの少なくとも一部領域に、前記スライド部材のスライド移動方向に沿って凹溝又は凸条を有する擦れ傷緩和部が設けられた、スライド部材支持構造部。
【請求項２】
請求項１記載のスライド部材支持構造部であって、
前記擦れ傷緩和部は、前記スライド支持体と一体形成されている、スライド部材支持構造部。
【請求項３】
請求項１又は請求項２記載のスライド部材支持構造部を備えた撮像部カバー用スライド部材支持構造部であって、
前記スライド支持体は、
前記スライド領域を有し、そのスライド領域に撮像部が取付けられたスライド支持本体部と、
前記スライド領域の両側部であって前記撮像部を避けた部分に取付けられて、前記スライド部材の両側部をスライド自在に支持するスライド支持側片と、
を備えた部材である、撮像部カバー用スライド部材支持構造部。
【発明の詳細な説明】
【技術分野】
【０００１】
この発明は、レンズカバー等のスライド部材をスライド自在に支持するスライド部材支持構造部及び撮像部カバー用スライド部材支持構造部に関する。
【背景技術】
【０００２】
従来のカメラ付携帯電話装置として、撮像レンズを開放又は遮蔽するためのレンズカバーを、筐体にスライド可能に設けた構成のものがある（例えば、特許文献１参照）。
【０００３】
【特許文献１】特開２００３−４６６１０号公報
【発明の開示】
【発明が解決しようとする課題】
【０００４】
しかしながら、上記のようなカメラ付携帯電話装置では、レンズカバーがスライドする際に、レンズカバーが筐体表面に擦れてしまう。これにより、筐体表面に、レンズカバーのスライド方向に沿った擦れ傷がついてしまうことがあり、好ましくない。
【０００５】
そこで、本発明は、スライド部材による擦れ傷を緩和することを目的とする。
【課題を解決するための手段】
【０００６】
この発明に係るスライド部材支持構造部は、一方主面を有しその一方主面にスライド領域が設けられたスライド支持体と、前記スライド領域にスライド移動自在に配設されるスライド部材と、を備え、前記スライド領域のうちの少なくとも一部領域に、前記スライド部材のスライド移動方向に沿って凹溝又は凸条を有する擦れ傷緩和部が設けられたものである。
【発明の効果】
【０００７】
この発明のスライド部材支持構造部によると、前記スライド領域のうちの少なくとも一部領域に、前記スライド部材のスライド移動方向に沿って凹溝又は凸条を有する擦れ傷緩和部が設けられているため、スライド部材による擦れ傷を凹溝又は凸条により緩和することができる。
【発明を実施するための最良の形態】
【０００８】
以下、この発明の実施の形態に係るスライド部材支持構造部について説明する。なお、本実施の形態では、スライド部材支持構造部をカメラ付携帯電話、特に、撮像部をカバーする部分に適用した例で説明する。
【０００９】
図１はカメラ付携帯電話におけるスライド部材支持構造部を示す分解斜視図であり、図２は同スライド部材支持構造部を示す平面図、図３は図２のＩＩＩ−ＩＩＩ線端面図、図４は図３の要部拡大図である。
【００１０】
このカメラ付携帯電話１０は、いわゆる折畳み式のものであり、テンキー等の入力部を有する操作部２０と液晶表示器等のメインモニターを有する表示部１２とがヒンジ部を介して開閉自在に連結された構成とされている。
【００１１】
操作部２０は、テンキー（図示省略）等の入力キーが配設されたフロントケース部２２と、折畳み形態で最外殻となる、スライド支持本体部としてのリアケース部２４との間に、図示省略の回路基板等を収容配置した構成とされている。このうちのリアケース部２４に、撮像部としてレンズユニット１４が設けられる。また、リアケース部２４の一方主面である外面に、レンズユニット１４を開放及び遮蔽自在に覆うようにしてスライド部材としてのレンズカバー４０が設けられる。
【００１２】
本実施形態では、レンズカバー４０をスライド自在に支持する構成に関して、スライド部材支持構造部が組込まれており、その構成についてより詳細に説明する。
【００１３】
リアケース部２４は、樹脂等で形成された部材であり、上記フロントケース部２２との組合わせにより回路基板等を収容可能な扁平な略筺状のケースを構成している。
【００１４】
このリアケース部２４の一方主面である外面２４ａは、略平面に形成されており、その一部分である略方形領域がスライド領域２５に設定されている。このスライド領域２５は、一方向に長い略長方形状の領域に形成されており、その周囲よりも凹んで（ここでは僅かに凹んで）いる。レンズカバー４０は、このスライド領域２５でその長手方向であるスライド移動方向Ｐに沿ってスライド自在に配設される。なお、リアケース部２４の外面２４ａは、必ずしも平面である必要はなく、レンズカバー４０がその面に沿ってスライド自在であれば、円柱周面形状又は球面形状に湾曲した形状等であっても構わない。
【００１５】
また、このスライド領域２５の長手方向における一端側よりの部分にレンズユニット１４が取付けられている。レンズユニット１４は、カメラレンズ１５と、レンズホルダ１６とを有している。レンズホルダ１６は、環状のフランジ部１６ａを有しており、その略中央部にカメラレンズ１５を保持している。また、このレンズユニット１４は、リアケース部２４を平面視から見た状態で、スライド領域２５内に収る程度の大きさである（図２及び図３参照）。そして、カメラレンズ１５及びフランジ部１６をスライド領域２５から外方に突出させず、かつ、カメラレンズ１５を外方に臨ませるような位置及び姿勢で、レンズユニット１４がスライド領域２５部分に図示省略の係合構造又は接着、ねじ止等の手法で取付けられている。
【００１６】
また、スライド領域２５のうちの少なくとも一部領域、ここでは、スライド領域２５の長手方向における他端側よりの部分に擦れ傷緩和部２６が形成されている。擦れ傷緩和部２６は、上記スライド移動方向Ｐに沿って延びる凹溝又は凸条を有している。より具体的には、擦れ傷緩和部２６は、スライド移動方向Ｐに沿って延びる微細な凹溝を細かい幅で形成した構成（ヘアラインともよばれる）とされている。この擦れ傷緩和部２６は、リアケース部２４に一体形成されている。換言すれば、上記スライド移動方向Ｐに沿って延びる凹溝又は凸条（ここでは微細な凹溝）は、スライド領域２５の表面に直接形成されている。
【００１７】
なお、図１及び図２では、レンズユニット１４を取囲む領域を平滑面としているが、図６に示すように、これらの領域にもスライド移動方向Ｐに沿って延びる凹溝又は凸条（ここでは微細な凹溝）を形成するようにしてもよい。
【００１８】
レンズカバー４０は、スライド領域２５にスライド移動自在に配設される部材である。より具体的には、レンズカバー４０は略方形板状部材に形成されている。このレンズカバー４０の幅寸法は、スライド領域２５の短辺方向の幅寸法と略同一の幅寸法に形成されており、レンズカバー４０をスライド領域２５内に配設した状態で、スライド領域２５の短辺方向に関してレンズカバー４０はほぼぴったりと収るようになっている。また、レンズカバー４０の長さ寸法は、スライド領域２５の長辺方向（スライド移動方向Ｐ）の寸法よりも小さい長さ寸法に形成されている。このレンズカバー４０は、スライド領域２５内においてスライド移動方向Ｐに沿った一端側と他端側とで移動自在とされる。レンズカバー４０がスライド領域２５内においてスライド移動方向Ｐに沿った一端側に位置する状態では、カメラレンズ１５を覆う。また、レンズカバー４０がスライド領域２５内においてスライド移動方向Ｐに沿った他端側に位置する状態では、カメラレンズ１５を露出させる（図２参照）。
【００１９】
また、レンズカバー４０の厚み寸法は、スライド領域２５の深さ寸法と略同一に形成されている。そして、レンズカバー４０をスライド領域内に配設した状態で、レンズカバー４０の表面は、リアケース部２４の裏面に対して略同一平面上に位置するようになっている。
【００２０】
なお、このレンズカバー４０の一主面である表面には、平面視略長円状の凹部４２が形成されており、この凹部４２を手がかりとしてレンズカバー４０を容易にスライド移動させることができるようになっている。
【００２１】
このレンズカバー４０は、次の構成によってスライド領域２５内をスライド自在に支持されている。
【００２２】
すなわち、レンズカバー４０の両側部には、スライド片４４が形成されている。スライド片４４は、レンズカバー４０の両側部にその長辺方向に沿って形成された長尺板状部材である。スライド片４４の厚み寸法は、レンズカバー４０の厚み寸法よりも小さく、スライド片４４の一方主面である表面は、レンズカバー４０の表面よりも段部を介して凹んでおり、スライド片４４の他方主面である裏面はレンズカバー４０の裏面と略同一平面上に位置している。
【００２３】
一方、リアケース部２４であってスライド領域２５の長辺側の両側外方部分には、スライド領域２５の長辺方向に沿って延びる、平面視略長方形状の側辺嵌込凹部２７が形成されている。側辺嵌込凹部２７は、後述するスライド支持側片５０の厚み寸法と略同一の深さ寸法に形成されており、スライド支持側片５０を側辺嵌込凹部２７に嵌込んだ状態で、リアケース部２４の裏面とスライド支持側片５０の外面とが略同一平面上に位置するようになっている。側辺嵌込凹部２７のうちスライド領域２５の長辺と隣接する部分には、スライド領域２５の長辺方向に沿って延びる突条部２７ａが形成されている。なお、この突条部２７ａの突出寸法は、側辺嵌込凹部２７の深さ寸法よりも小さくなっている。
【００２４】
これら一対の側辺嵌込凹部２７には、それぞれスライド支持側片５０が嵌め込まれる。つまり、スライド支持側片５０は、スライド領域２５の長辺側の両側部であって上記レンズユニット１４を避けた部分、ここでは、スライド領域２５の周縁を画する各辺のうち、スライド移動方向Ｐに沿って延びる一対の長辺の外方領域に設けられている。
【００２５】
スライド支持側片５０は、本体部５１と、本体部５１の一側部に形成された押え片５２とを有している。本体部５１は、側辺嵌込凹部２７の深さ寸法と略同じ厚み寸法で、かつ、側辺嵌込凹部２７に嵌込み可能な平面視略長方形の板状部材に形成されている。また、押え片５２は、本体部５１の一側部より外方に張出すと共に本体部５１の長手方向に沿って延びる長尺状の板状部材である。押え片５２の外面は、本体部５１の外面と略同一平面上に位置している。押え片５２の内面は、本体部５１の内面よりも一段凹んでおり、本体部５１を側辺嵌込凹部２７に嵌込んだ状態で、押え片５２の内面が突条部２７ａの先端面に接触するようになっている。また、押え片５２の突出幅寸法は、突条部２７ａの幅寸法よりも大きくなっており、本体部５１を側辺嵌込凹部２７に嵌込んだ状態で、押え片５２は、突条部２７ａを越えてスライド領域２５に向けて延出するようになっている。この状態で、押え片５２の内面とスライド領域２５の底面側縁部と突条部２７ａの一側面とで、スライド領域２５に向けて開口する略Ｕ字状断面で、かつ、スライド移動方向Ｐに沿って延びるスライド溝２８が形成されることになる。このスライド溝２８の開口幅寸法は、スライド片４４の厚み寸法と略同じ又は大きく設定されており、スライド片４４はスライド溝２８内をスライド移動方向Ｐに沿って移動自在に支持されることになる。本実施形態では、このリアケース部２４とスライド支持側片５０とで、スライド支持体を構成している。
【００２６】
このカメラ付携帯電話１０におけるスライド部材支持構造部の製造手順について説明する。
【００２７】
まず、リアケース部２４を準備し、そのスライド領域２５内にレンズカバー４０を配設する。この際、レンズカバー４０の両側部のスライド片４４を、それぞれスライド領域２５の長辺部分に沿って配設するようにする。この状態で、一対のスライド支持側片５０の本体部５１を各側辺嵌込凹部２７に嵌込むようにして、各スライド支持側片５０をスライド領域２５の両側部に取付ける。これにより、スライド領域２５の両側部に形成されたスライド溝２８内にスライド片４４がスライド移動自在に支持されて、レンズカバー４０がスライド領域２５でスライド移動方向Ｐに沿って移動自在に配設支持されることになる。
【００２８】
このように構成されたスライド部材支持構造部では、スライド領域２５のうちの少なくとも一部の領域に、スライド移動方向Ｐに沿った凹溝又は凸条を有する擦れ傷緩和部２６が設けられている。このため、レンズカバー４０による擦れ傷を緩和することができる。つまり、擦れ傷緩和部２６は、微細な凹溝を細かい幅で形成した構成とされている。このため、レンズカバー４０との擦れ合いによりスライド領域２５にスライド移動方向Ｐに沿った擦り傷がついたとしても、スライド移動方向Ｐに沿った微細な凹溝により当該擦り傷自体を目立たなくして、擦れ傷を緩和することができる。
【００２９】
なお、上記擦れ傷緩和部２６が、リアケース部２４に対して別体とされた板状部材として構成されており、この別体とされた擦れ傷緩和部２６をスライド領域２５に貼着ける等して固定する構成を採用することも可能である。ところがこの場合、スライド領域２５におけるリアケース部２４自体の厚みに加えて、別体とされた擦れ傷緩和部２６の厚みも加わることになり、スライド領域２５部分、ひいては、携帯電話１０全体の大型化を招くことになる。
【００３０】
そこで、本実施形態のように、擦れ傷緩和部２６を、リアケース部２４と一体形成することで、スライド領域２５部分を薄肉化することができるという利点がある。
【００３１】
また、上記スライド領域２５に、撮像部としてのレンズユニット１４が取付けられているところ、スライド領域２５の両側部であってレンズユニット１４を避けた部分に、一対のスライド支持側片５０が取付けられている。そして、この一対のスライド支持側片５０により、レンズカバー４０の両側部をスライド自在に支持している。このため、特に大型化を招くことなく、スライド支持側片５０を取付けてレンズカバー４０をスライド自在に支持することができる。
【００３２】
これを２つの観点に着目してより詳細に説明する。一つ目の観点から説明すると、スライド領域２５では、リアケース部２４におけるスライド領域２５にレンズカバー４０が積層状に配設されるので、２つの板状部材分の厚みが必要となる。一方、その両側部では、レンズカバー４０は無いため、そこにスライド支持側片５０を取付けたとしても、リアケース部２４自体とスライド支持側片５０との２部材分の厚みを要するようになるに過ぎない。つまり、リアケース部２４にスライド支持側片５０を取付けた部分の厚みを、スライド領域２５で必要となる２部材分の厚みと同レベルの厚みにすることができる。このため、特に大型化を招くことなく、スライド支持側片５０を取付けることができる。
【００３３】
また、２つ目の観点から説明すると、レンズユニット１４が無い部分に、スライド支持側片５０を取付けているところ、通常、レンズユニット１４がある部分では内部空間に余裕がない。一方、その周辺部であるスライド領域２５の両側部の内部では、比較的空間的余裕がある。このため、例えば、図５に示すように、リアケース部２４のうち側辺嵌込凹部２７を形成した部分に関して、十分な厚み寸法を確保する等の目的で、内側に膨出させる等することも可能である。つまり、レンズユニット１４を避けた部分では、スライド支持側片５０を取付ける構造部分をリアケース部２４の内部側に作り込むことができるため、大型化を招き難いというメリットがある。
【００３４】
また、リアケース部２４におけるスライド領域２５の両側部に、後からスライド支持側片５０を取付ける構成であるため、スライド領域２５の底面に比較的容易に擦れ傷緩和部２６を形成することができるという利点もある。すなわち、レンズカバー４０をスライド自在に支持する溝は、スライド領域２５の両側部にスライド領域２５の内方を向くように開口する形状に形成される必要がある。また、擦れ傷緩和部２６に形成される凹溝又は凸条の凹み方向又は突出方向は、スライド領域２５に対して略直交する方向となる。このため、レンズカバー４０をスライド自在に支持する溝の凹み方向と、擦れ傷緩和部２６に形成される凹溝又は凸条の凹み方向或は突出方向は、相互に直交してしまう関係となる。スライド領域２５の側部でこれらが近接している場合、金型の中子のレイアウト及び離型時の中子移動方向からして、それらの凹凸形状を金型成型にて形成することは困難である。そこで、本構成のように、スライド支持側片５０をリアケース部２４とは別体とすることで、擦れ傷緩和部の凹溝又は凸条を簡易に金型成形により形成できる。
【００３５】
｛変形例｝
本実施形態では、スライド部材支持構造部をカメラ付携帯電話１０に適用した例で説明したが、適用例はこれに限られない。例えば、一般的なカメラにおける撮像部をスライド部材により開放及び遮蔽自在に覆う構成、つまり、種々の撮像部カバー用スライド部材支持構造部に適用可能である。さらには、撮像部を覆う構成に関係なく、スイッチやコネクタ、端子、表示部等をスライド部材により開放及び遮蔽自在に覆う構成についても適用できる。すなわち、何らかの部材のスライド領域をスライド部材が開放及び遮蔽に覆う全ての構成について、本スライド部材支持構造部は適用可能である。
【００３６】
また、本実施形態では、擦れ傷緩和部２６は、スライド移動方向Ｐに沿って延びる微細な凹溝を細かい幅で形成した構成（ヘアライン）である例で説明したが、必ずしもこの例に限られない。
【００３７】
例えば、図７に示す擦れ傷緩和部１２６のように、スライド領域２５の一部領域において、スライド移動方向Ｐに沿って延びる凸条１２６ａが、スライド領域２５の幅方向において間隔をあけて複数本形成された構成であっても構わない。この場合でも、レンズカバー４０がスライド領域２５に擦れることで形成される擦り傷は、主に凸条１２６ａの表面に沿って形成され、それらの間部分には形成され難い。しかも、凸条１２６ａの表面に形成された擦り傷は、凸条１２６ａ自体のスライド移動方向Ｐに沿った輪郭形状により目立ち難い。
【００３８】
また、図８に示す擦れ傷緩和部２２６のように、スライド領域２５の一部領域に（ここでは”ＭＩＴＳＵ”及び”０１２１３４”の文字に倣った部分的な領域）に、スライド移動方向Ｐに沿って延びる凸条２２６ａ（ここでは細かな凸条２２６ａ）を形成している。また、その他の周囲の部分にスライド移動方向Ｐに沿って延びる凸条２２６ｂを形成している。この場合でも、レンズカバー４０がスライド領域２５に擦れることで形成される擦り傷は、主に凸条２２６ａを形成した領域に形成され、その他の領域部分には形成され難い。そして、凸条２２６ａを形成した領域に形成された擦り傷は、凸条２２６ａ自体に紛れて目立ち難い。また、たとえ凸条２２６ａ部分以外に擦り傷がついたとしても、それは凸条２２６ｂに紛れて目立ちにくい。
【００３９】
つまり、これらの変形例にも示すように、擦れ傷緩和部としては、スライド領域のうちの少なくとも一部領域に、スライド移動方向Ｐに沿って凹溝又は凸条を形成した構成全てを含む。
【図面の簡単な説明】
【００４０】
【図１】カメラ付携帯電話におけるスライド部材支持構造部を示す一部分解斜視図である。
【図２】同上のスライド部材支持構造部を示す平面図である。
【図３】図２のＩＩＩ−ＩＩＩ線端面図である。
【図４】図３の要部拡大図である。
【図５】スライド領域の両側部におけるリアケース部の変形例を示す図である。
【図６】擦れ傷緩和部の変形例を示す斜視図である。
【図７】擦れ傷緩和部の他の変形例を示す斜視図である。
【図８】擦れ傷緩和部の他の変形例を示す斜視図である。
【符号の説明】
【００４１】
１０  カメラ付携帯電話、１４  レンズユニット、１５  カメラレンズ、２４  リアケース部、２５  スライド領域、２６  擦れ傷緩和部、２７  側辺嵌込凹部、２８  スライド溝、４０  レンズカバー、４４  スライド片、５０  スライド支持側片、Ｐ  スライド移動方向。
【図１】
2007298785.tif 000003
【図２】
2007298785.tif 000004
【図３】
2007298785.tif 000005
【図４】
2007298785.tif 000006
【図５】
2007298785.tif 000007
【図６】
2007298785.tif 000008
【図７】
2007298785.tif 000009
【図８】
2007298785.tif 000010